(57)【特許請求の範囲】
【請求項１】
大きさの異なる円盤状のディスクおよびカートリッジに内蔵された状態のカートリッジ内蔵ディスクを装置内に搬送しターンテーブル上に装填し、前記ターンテーブル上の前記ディスクを排出するディスク装置において、
円盤状のディスクおよびカートリッジ内蔵ディスクの挿入により動作する駆動モータと、
該駆動モータにより駆動されるギアユニットと、
前記ギアユニットを経由して前記駆動モータにより駆動される搬送ローラを有し、該円盤状のディスクの取り込み、および排出を行う搬送ローラを有したＣＤ搬送機構と、
前記円盤状のディスクがターンテーブルにクランプされない位置から、前記ギアユニットを経由した前記駆動モータの駆動力により、前記円盤状のディスクがクランプされる位置へ取り込まれることに伴って、作動したクランプレバーにより前記円盤状ディスクをクランプするクランプ機構と、
該カートリッジ内蔵ディスクの挿入時、前記駆動モータにより前記ギヤユニットを経由して駆動され前記カートリッジ内蔵ディスクの前記装置内への取り込み時に、障害とならない後部位置へクランプレバーを回動させ、かつ該カートリッジ内蔵ディスクの排出時に前記クランプレバーを、前記円盤状ディスクのクランプ可能位置である初期位置へ回動させ復帰させるクランプレバー回動機構と、
該クランプレバーとリンク機構により連結され、前記カートリッジ内蔵ディスクの前記装置内への取り込みを前記クランプレバーの待避に伴って行い、前記装置内からの前記カートリッジ内蔵ディスクの排出を前記クランプレバーの前記初期位置への復帰に伴って行うカートリッジ内蔵ディスク搬送機構と、
前記カートリッジ内蔵ディスクがターンテーブルに載置されない位置から、前記カートリッジ内蔵ディスク搬送機構により前記カートリッジ内蔵ディスクが載置される位置に取り込まれ前記ギアユニットを経由して駆動される、第１スライド板と前記第１スライド板の移動に伴って前記カートリッジ内蔵ディスクがターンテーブルに載置するカートリッジ内蔵ディスク載置機構とを備えていることを特徴とするディスク装置。
【請求項２】
該カートリッジ内蔵ディスクの前記装置内への取り込み時に、前記駆動モータにより前記ギアユニットを経由して駆動される前記クランプレバー回動機構に含まれ、前記クランプレバーの回動に伴い移動する第３スライドに、カートリッジ内蔵ディスク載置機構が前記第１スライド板の移動による載置動作を規制するカム部を備えたことを特徴とする請求の範囲第１項記載のディスク装置。
【発明の詳細な説明】
【技術分野】
【０００１】
この発明は、ディスク単体で使用される円盤状のディスクやカートリッジに内蔵された状態で使用されるカートリッジ内蔵ディスクなどの異なった形態の情報記録媒体を再生ユニット（フローティングデッキ）のターンテーブル上に装填（ローディング）させ、ターンテーブル上から排出（イジェクト）させるディスク装置に関するものである。
【背景技術】
【０００２】
従来のディスク装置、特にディスク単体で使用される円盤状のディスク（以下、ＣＤという）とカートリッジに内蔵された状態で使用されるカートリッジ内蔵ディスク（以下、ＭＤという）とが共用可能であるディスク装置では、ＣＤやＭＤの搬送用のモータとクランプ用のモータとをそれぞれ別個に設ける構成となっていた。
【発明の開示】
【発明が解決しようとする課題】
【０００３】
従来のディスク装置は以上のように構成されているので、ＣＤやＭＤの搬送用とクランプ用とに少なくとも２個のモータが必要となり、部品点数が増えてコストが上昇するとともに、モータの数が多くなるほど信頼性の観点からも不利となる課題があった。
この発明は上記のような課題を解決するためになされたもので、ディスク単体で使用される円盤状のディスク、カートリッジに内蔵された状態で使用されるカートリッジ内蔵ディスクなどの情報記録媒体いずれにも共用でき、前記円盤状のディスクと前記カートリッジ内蔵ディスクの搬送およびクランプを１つの駆動モータにより行い、コストの削減を実現し、モータで発生するトラブルが原因となる信頼性の低下を回避できるディスク装置を得ることを目的とする。
【課題を解決するための手段】
【０００４】
この発明に係るディスク装置は、大きさの異なる円盤状のディスクおよびカートリッジに内蔵された状態のカートリッジ内蔵ディスクを装置内に搬送しターンテーブル上に装填し、前記ターンテーブル上の前記ディスクを排出するディスク装置において、円盤状のディスクおよびカートリッジ内蔵ディスクの挿入により動作する駆動モータと、該駆動モータにより駆動されるギアユニットと、前記ギアユニットを経由して前記駆動モータにより駆動される搬送ローラを有し、該円盤状のディスクの取り込み、および排出を行う搬送ローラを有したＣＤ搬送機構と、前記円盤状のディスクがターンテーブルにクランプされない位置から、前記ギアユニットを経由した前記駆動モータの駆動力により、前記円盤状のディスクがクランプされる位置へ取り込まれることに伴って、作動したクランプレバーにより前記円盤状ディスクをクランプするクランプ機構と、該カートリッジ内蔵ディスクの挿入時、前記駆動モータにより前記ギヤユニットを経由して駆動され前記カートリッジ内蔵ディスクの前記装置内への取り込み時に、障害とならない後部位置へクランプレバーを回動させ、かつ該カートリッジ内蔵ディスクの排出時に前記クランプレバーを、前記円盤状ディスクのクランプ可能位置である初期位置へ回動させ復帰させるクランプレバー回動機構と、該クランプレバーとリンク機構により連結され、前記カートリッジ内蔵ディスクの前記装置内への取り込みを前記クランプレバーの待避に伴って行い、前記装置内からの前記カートリッジ内蔵ディスクの排出を前記クランプレバーの前記初期位置への復帰に伴って行うカートリッジ内蔵ディスク搬送機構と、前記カートリッジ内蔵ディスクがターンテーブルに載置されない位置から、前記カートリッジ内蔵ディスク搬送機構により前記カートリッジ内蔵ディスクが載置される位置に取り込まれ前記ギアユニットを経由して駆動される、第１スライド板と前記第１スライド板の移動に伴って前記カートリッジ内蔵ディスクがターンテーブルに載置するカートリッジ内蔵ディスク載置機構とを備えるようにしたものである。  この発明に係るディスク装置は、該カートリッジ内蔵ディスクの前記装置内への取り込み時に、前記駆動モータにより前記ギアユニットを経由して駆動される前記クランプレバー回動機構に含まれ、前記クランプレバーの回動に伴い移動する第３スライドに、カートリッジ内蔵ディスク載置機構が前記第１スライド板の移動による載置動作を規制するカム部を備えるようにしたものである。
【発明の効果】
【０００５】
この構成によって、円盤状のディスクおよびカートリッジ内蔵ディスクを共用可能にする機構各部の駆動源となる駆動モータの数を１つで済ますことができ、駆動モータの数が多くなることによる信頼性の低下を回避できる効果を奏する。
この構成によってＣＤ再生時にＭＤ搬送機構およびＭＤ載置機構のＣＤへの当接防止を簡単な機構で行え信頼性を向上できる効果を奏する。
【発明を実施するための最良の形態】
【０００６】
以下、この発明をより詳細に説明するために、この発明を実施するための最良の形態について、添付の図面に従って説明する。
実施の形態１．
第１図は、この発明の実施の形態１によるディスク装置の構成を立体的に示す構造図、第２図は第２図に示したディスク装置の内部構成部材を省いた状態の視点を変えた構造図である。これらの図において、１は挿入されたディスクが８センチＣＤ（以下、小径ディスクという）である場合に、その小径ディスクの外周部と当接する小径ディスク当接ピン、２は挿入されたディスクが１２センチＣＤ（以下、大径ディスクという）である場合に、その大径ディスクの外周部と当接する大径ディスク当接ピンである。
３は前記小径ディスク当接ピン１および大径ディスク当接ピン２を有し、図示していない支点３ｂを中心に回動可能に構成されたレバー、３ａはレバー３の一端に構成された係合片である。
４は係合片４ａが構成された第１スライド板である。この第１スライド板４は矢印ｅおよび矢印Ｅ方向へスライド可能に構成されている。また、この第１スライド板４には第２図に示すようにラック部８が形成されており、矢印ｅ方向へスライドするとギア９と噛み合うように構成されている。さらに、この第１スライド板４には、第２図に示すようにピン５が形成され、第２スライド板６のスリット７と係合している。
６は第２スライド板であり、矢印ｅおよび矢印Ｅ方向にスライド可能に構成されている。この第２スライド板６には、第２図に示すようにラック部１０が形成されており、矢印ｅ方向へスライドするとギア９と噛み合うように構成されている。この第２スライド板６には、さらに、ピン１５、図示していないピン、前記スリット７およびＳ字形状の長孔５５などが形成されている。
第１図に示す符号Ｇはギアユニット、１１は搬送ローラである。搬送ローラ１１は、図示していない駆動モータによる回転がギアユニットＧを介して伝達され、小径ディスク、大径ディスクおよびカートリッジ内蔵のミニディスク（以下、ＭＤという）の挿入時と排出時に応じて正逆回転可能に構成されている。このため、搬送ローラ１１の軸の一端にはギアＧ２が固定され、このギアＧ２はギアユニットＧを構成するギアＧ１と噛み合っている。
１２は搬送ローラ１１を両端で回動可能に支持している搬送ローラ支持レバーであり、ギアユニットＧを構成するギアＧ１の回転軸を共有して回動自在に軸支されている。
１３は搬送ローラ支持レバー１２を矢印Ｙおよび矢印ｙ方向に回動させ、搬送ローラ１１を昇降させるための昇降アームである。この昇降アーム１３は第７図に示すようにピン１４が構成されたＬ字形状の延長部１３ａを有しており、軸１３ｂを中心にして矢印Ｃおよび矢印ｃ方向に回動可能に構成されている。また、この延長部１３ａに構成された前記ピン１４は、第２図に示す第２スライド板６のＳ字形状の長孔５５と係合している。
１７は先端にクランパー１９を備えたクランプレバーである。このクランプレバー１７は第２図に示す回転軸２９を中心にして矢印ｆ方向へ回動可能に構成されている。また、このクランプレバー１７にはＬ字形状の長孔３２が形成されている。
１７ａはクランプレバー１７が矢印ｆ方向に回動可能な状態で支持するための第２図に示す回転軸２９を備えたクランプレバー支持部材である。このクランプレバー支持部材１７ａは、第２図に示すように回動軸１８を中心にして矢印Ｄおよび矢印ｄ方向へ回転可能に構成されている。また、このクランプレバー支持部材１７ａには前記ピン１５と係合するカム面１６が形成されている。
２６は第３スライド板である。この第３スライド板２６には、Ｓ字形状の長孔４９とラック部２７とが形成されており、矢印ｅおよび矢印Ｅ方向にスライド可能に構成されている。
３３は長孔３８が形成された連動レバーであり、回動中心となる軸３０を中心にして回転可能に構成されている。また、この連動レバー３３の先端部には、クランプレバー１７のＬ字形状の長孔３２と係合するピン３１が構成されている。
第３図は、第１図に示したディスク装置において第３スライド板２６を取り外した状態のギアユニットＧ側から見た側面図である。なお、この側面図においては中継部材４７も省略されている。図において５６は
ギアユニットＧなどの取り付け板、５９および６０は長孔である。
４８は第４図に示す中継部材４７に構成されたピンであり、前記Ｓ字形状の長孔４９と係合している。
５２は第５図に示す中間部材であり、ピン５７，５８と円弧形状の長孔５１が形成されている。
第６図はこの発明の実施の形態１によるディスク装置において大径ディスクを挿入したときの構成を立体的に示す構造図である。第６図において第１図と同一または相当の部分については同一の符号を付し説明を省略する。この第６図は、第１図に示した第３スライド板２６を省略し、第３スライド板２６の裏側に配置されている中継部材４７が明確になるようにしたものである。図において、２００は大径ディスク、Ｓはレバー３の小径ディスク当接ピン１が構成された先端部を、支点３ｂを中心にして時計方向へ付勢するためのバネである。
第７図は、この実施の形態１のディスク装置の構成を示す側面図である。
第８図は、搬送ローラ１１が小径ディスク裏面へ当接し、小径ディスクを搬送する際に、小径ディスクの搬送ローラ当接側の周辺部を上方へ持ち上げることで、小径ディスクのエッジに搬送ローラ１１が突き当たることのないようにするための構成を立体的に示す構造図である。図において、２１は第２スライド板６に設けられたピン、２２はＣＤ押し上げレバーである。このＣＤ押し上げレバー２２にはカム面２２ａが形成されており、このカム面２２ａに前記ピン２１が当接することで、ＣＤ押し上げレバー２２は軸２３を中心にして矢印Ｍおよび矢印ｍ方向へ回動可能に構成されている。
第９図はＣＤ（大径ディスク）２００の中心がターンテーブル上まで搬送された状態を立体的に示すこの実施の形態１のディスク装置の構造図である。
第１０図は、ＭＤを装填する際に機能する構成部材を追加したこの実施の形態１のディスク装置の構成を立体的に示す構造図である。なお、第１０図において第１図と同一または相当の部分については同一の符号を付し説明を省略する。図において、２４はＭＤ、２４ａはカートリッジ内のディスクを露出させるためのスライド蓋、２５はＭＤホルダ、３６はＭＤホルダ２５に形成された長孔、３９はホルダ引き込みレバー、３４はホルダ引き込みレバー３９が回転する際の中心となる軸、３５は長孔３６と係合するピンであり、ホルダ引き込みレバー３９の先端部付近に構成されている。３７は長孔３８と係合するピンであり、ホルダ引き込みレバー３９の中間付近に構成されている。４４はＭＤホルダ支持部材、６３はＭＤホルダ２５の保持兼ガイド部材６１（第１１図）を回動可能に支持するための軸受部、４１はＭＤホルダ２５に構成されたガイドピンである。４５はＭＤホルダ支持部材４４の側面部に設けられたピンであり、このピン４５は第２スライド板６のカム面４６の上部の水平面４６ｂ上に乗り上げることでＭＤホルダ支持部材４４を水平に保持するように構成されている。また、ピン４５が第２スライド板６のカム面４６上を下方へ摺動して、カム面４６から離脱した状態では、ＭＤホルダ支持部材４４は第１３図に示すようにＭＤ挿入側を下方に傾けた状態になる。
また、１０１および１０２は搬送ローラ１１の上方かつＭＤホルダ２５の両側に配置された、ＣＤをその上面から案内するＣＤ用ガイドであり、ＣＤが挿入された場合には、挿入されたＣＤはその上面が前記ＣＤ用ガイド１０１，１０２にガイドされた状態で搬送ローラ１１により装置内部へ搬送される。
第１１図は、第１０図に保持兼ガイド部材６１を追加したこの実施の形態１のディスク装置の構成を立体的に示す構造図である。なお、第１１図において第１０図と同一または相当の部分については同一の符号を付し説明を省略する。図において、４２は保持兼ガイド部材６１に構成されたガイド孔であり、前記ガイドピン４１と係合し、ＭＤホルダ２５を案内する。６２は保持兼ガイド部材６１の両側面部に突設された板状の板状軸体であり、前記ＭＤホルダ支持部材４４に構成された軸受部６３と係合している。
第１２図は、ＭＤが装置内へ搬送された状態のこの実施の形態１のディスク装置の構成を立体的に示す構造図である。
第１３図は、ＭＤを再生しているときのこの実施の形態１のディスク装置の構成を立体的に示す構造図である。
第１４図は、第３スライド板２６が矢印ｅ方向へ移動中の状態を示すこの実施の形態１のディスク装置の部分側面図である。
第１５図は、中間部材５２が図示していない第３スライド板２６により矢印ｅ方向へ移動した状態を示すこの実施の形態１のディスク装置の部分側面図である。
第１６図は、中間部材５２が矢印ｄ方向へ回動した状態を示すこの実施の形態１のディスク装置の部分側面図である。
第１７図は、クランプレバー１７をＭＤ装填時に後方へ回動させるための構造を示すこの実施の形態１のディスク装置の部分平面図である。
第１８図は、この実施の形態１のディスク装置へＣＤ２００を挿入したときのＣＤ／ＭＤ挿入部の構成を立体的に示す構造図である。図において、１１１はＭＤ挿入時にＭＤホルダ２５の開口部を拡開させるための拡開レバーである。
第１９図は、この実施の形態１のディスク装置のＣＤ／ＭＤ挿入部の構成を立体的に示す構造図である。図において１１２はＣＤ／ＭＤ挿入部におけるＭＤの挿入口を覆って、塵などの侵入を防止するＭＤ挿入口遮蔽蓋であり、前記ＭＤの挿入口へ挿入されるＭＤと当接し矢印Ｑ方向へ回動可能に構成されている。なお、このＭＤ挿入口遮蔽蓋１１２はＣＤ／ＭＤ挿入部へＭＤが挿入された場合には、その挿入されたＭＤの先端の辺と当接するが、挿入されたＣＤとは当接することがないように構成されている。
第２０図は、前記ＭＤの挿入口へＭＤ２４が挿入される状態を立体的に示した構造図である。
第２１図は、ＭＤ挿入口遮蔽蓋１１２がＭＤの挿入口へ挿入されるＭＤと当接し矢印Ｑ方向へ回動し、ＭＤホルダ２５の開口部を拡開させた状態を立体的に示す構造図である。図に示すように、ＭＤ挿入口遮蔽蓋１１２の一方の側面にはピン１１２ａが設けられており、ＭＤの挿入口へ挿入されたＭＤ２４の先端の辺とＭＤ挿入口遮蔽蓋１１２が当接し、矢印Ｑ方向へ回動したＭＤ挿入口遮蔽蓋１１２の前記ピン１１２ａが
拡開レバー１１１の一端部を上方へ押し上げることにより、拡開レバー１１１は軸１１１ａを中心に回動し、拡開レバー１１１の他端が、ＭＤホルダ２５の開口部を構成するＭＤホルダ２５の下側に配置されているＭＤホルダ開口部構成部材２５ａの突片２５ｂと当接する。そして、ＭＤホルダ開口部構成部材２５ａは矢印ｒ方向へ開き、ＭＤホルダ２５の開口部を拡開させ、ＭＤ２４のＭＤホルダ２５の開口部への挿入を容易にするように構成されている。
第２２図および第２３図は、このようにして拡開されたＭＤホルダ２５の開口部へＭＤ２４が挿入された状態を立体的に示す構造図である。
なお、以上説明した構成において、請求の範囲でいうＣＤ搬送機構はギアユニットＧおよび搬送ローラ１１などに対応し、クランプ機構は１，２，３，３ａ，４，６，１５，１７ａ，１７，クランパー１９などに対応し、クランプレバー回動機構は第３スライド板２６、中継部材４７、中間部材５２、ピン５３、スリット５４などに対応し、ＭＤ搬送機構はＭＤホルダ２５、連動レバー３３、ホルダ引き込みレバー３９、ガイドピン４１、ガイド孔４２、保持兼ガイド部６１などに対応し、ＭＤ載置機構は第２スライド板６のカム面４６、ピン４５などに対応する。
次に動作について説明する。
（ＣＤ装填動作）
ＣＤをディスク装置へ挿入すると、ＣＤが挿入されたことをセンサが検知する。この結果、図示していない駆動モータが作動してギアユニットＧを駆動し、搬送ローラ１１を第７図に示すａａ方向に回転させる。
この結果、挿入されたＣＤは搬送ローラ１１により、さらに奥へ搬送される。
この状態において、挿入されたＣＤが小径ディスクであると、この小径ディスクの外周部が小径ディスク当接ピン１に当接する。一方、挿入されたＣＤが大径ディスクであると、この大径ディスクの外周部が大径ディスク当接ピン２に当接する。
ＣＤは、その外周部が小径ディスク当接ピン１または大径ディスク当接ピン２に当接した状態で、搬送ローラ１１によりさらに奥へ挿入され、ＣＤ２００の中心がターンテーブルの中心上まで来る。この結果、第６図に示すように、挿入されたＣＤ２００によりレバー３は支点３ｂを中心にして矢印ａ方向へ回動する。
レバー３が矢印ａ方向へ回動すると、係合片３ａが矢印ｂ方向へ移動し、第１スライド板４の係合片４ａと当接し、さらに第１スライド板４を矢印ｅ方向へスライドさせる。
この結果、第２図に示すように、第１スライド板４に形成されたラック部８がギア９と噛み合い、左回りに回転しているギア９により第１スライド板４をさらに矢印ｅ方向へスライドさせる。
第１スライド板４が矢印ｅ方向へスライドすると、第１スライド板４に構成されたピン５は第２スライド板６に形成されたスリット７の搬送ローラ１１側の端部に当接し、第２スライド板６を矢印ｅ方向へスライドさせる。
この結果、第２スライド板６に形成されたラック部１０もギア９と噛み合って、ギア９は第１スライド板４および第２スライド板６を矢印ｅ方向へスライドさせる。
第２スライド板６が矢印ｅ方向へスライドされると、第２スライド板６に形成されたＳ字形状の長孔５５と係合している、第７図に示す昇降アーム１３の延長部１３ａに構成されたピン１４は、第８図に示すようにＳ字形状の長孔５５の上側の端部へスライドされ、この結果、第７図に示すように昇降アーム１３は軸１３ｂを中心にして他印Ｃ方向へ回動し、搬送ローラ支持レバー１２を矢印Ｙ方向へ回動させ、搬送ローラ１１を第８図に示すように下降させる。
一方、第２スライド板６の矢印ｅ方向へのスライドにより、第２スライド板６に構成されたピン１５も矢印ｅ方向へ移動するため、第２図に示すようにクランプレバー支持部材１７ａに形成されているカム面１６と当接していた前記ピン１５は、カム面１６上を摺動し、第８図に示すようにピン１５はカム面１６から外れる。
この結果、クランプレバー支持部材１７ａ、中間部材５２およびクランプレバー１７は、第６図に示す矢印Ｄ方向へ回動し、第９図に示すように、クランプレバー１７の先端部に構成されたクランパー１９がターンテーブル上のＣＤ２００を上方からクランプする。
（ＣＤ取り出し動作）
このＣＤ取り出し動作においては、前記駆動モータはＣＤ装填動作時とは逆の方向へ回転する。このため、ギア９は第８図に示す状態で右回りで回転し、第１スライド板４および第２スライド板６を矢印Ｅ方向へスライドさせる。
第２スライド板６が矢印Ｅ方向へスライドすると、第２スライド板６に構成されているピン１５がクランプレバー支持部材１７ａのカム面１６と当接し、クランプレバー支持部材１７ａを回動軸１８を中心に矢印Ｄ方向へ回動させ、第２図に示す状態となり、クランパー１９とターンテーブルとによるＣＤ２００の挟持を開放し、クランプレバー１７とＣＤ２００との関係は第６図に示すようになる。
一方、第２スライド板６の矢印Ｅ方向の移動により、Ｓ字形状の長孔５５と係合しているピン１４は、第８図に示す状態からＳ字形状の長孔５５内を摺動してＳ字形状の長孔５５の下側の端部へ移動し、この結果、昇降アーム１３は第７図に示す矢印ｃ方向へ回動し、搬送ローラ１１が上昇してＣＤ２００の裏面に当接し、搬送ローラ支持レバー１２と搬送ローラ１１は第２図に示す状態となる。
このとき、搬送ローラ１１は作動している駆動モーターによりギアユニットＧが第７図ＡＡ方向に回転しているため、回転している搬送ローラ１１によりＣＤ２００は装置の外へ排出される。
そして、第１スライド板４のラック部８と第２スライド板６のラック部１０がギア９から離脱すると、図示していないバネにより第１スライド板４および第２スライド板６は矢印Ｅ方向へさらに移動し、第１スライド板４および第２スライド板６は第２図に示す初期状態の位置へ戻る。
以上のＣＤ排出時の動作は、小径ディスクおよび大径ディスクともに共通であるが、小径ディスクの場合には上昇した搬送ローラ１１が小径ディスクのエッジに突き当たる可能性があるため、第２スライド板６の矢印Ｅ方向の移動により、第２スライド板６に設けたピン２１のカム面２２ａに対する作用により、レバー２２を軸２３を中心にして矢印Ｍ方向へ回動させ、小径ディスクの搬送ローラ当接側の周辺部を上方へ持ち上げることで、小径ディスクのエッジに搬送ローラ１１が突き当たることのないようにする。
（ＭＤ装填動作）
ＭＤ２４をＣＤ／ＭＤ挿入部におけるＭＤの挿入口へ挿入すると、第２１図に示すように、挿入されたＭＤ２４の先端の辺がＭＤ挿入口遮蔽蓋１１２と当接する。この結果、ＭＤ挿入口遮蔽蓋１１２は矢印Ｑ方向
へ回動し、拡開レバー１１１の一端を上方へ持ち上げる。拡開レバー１１１の他端は軸１１１ａを中心にして回動し、突片２５ｂを下方へ押し下げるため、ＭＤホルダ開口部構成部材２５ａは矢印ｒ方向へ開き、ＭＤホルダ２５の開口部を拡開させる。この状態で、ＭＤ２４をさらに押し込むと、ＭＤ２４はＭＤホルダ２５に挿入される。第１０図はこの状態を示している。
ＭＤホルダ２５にＭＤ２４が挿入されると、図示していないセンサがこれを検出し、図示していない前記駆動モータを動作させ、ギアユニットＧを駆動させる。この結果、図示しない部材により第３スライド板２６が第１４図に示すように矢印ｅ方向へ移動し、第３スライド板２６に形成されたラック部２７がギア２８に噛み合い、以後、ギア２８の回転により第３スライド板２６は矢印ｅ方向へ移動される。中継部材４７のピン４８はＳ字形状の長孔４９と係合しているため、第１５図に示すように矢印ｊ方向に回動し、中継部材４７のピン５０が係合した円弧形状の長孔５１を有した中間部材５２が第３スライド板２６と同方向へ移動する。
第３スライド板２６の矢印ｅ方向の移動により、第１０図に示す第３スライド板２６の係合片４３が第１スライド板４の係合片４ａを押し、第１スライド板４を矢印ｅ方向へ移動させる。この結果、第１スライド板４と第２スライド板６の動きは、前記ＣＤ装填時で説明した動作と同様になる。
一方、中間部材５２の移動に伴い、第１７図に示す中間部材５２に構成されたピン５３が、クランプレバー１７のスリット５４の端部と当接し、クランプレバー１７が回転軸２９を中心にして矢印ｆ方向へ回動され、ＭＤ２４の装填にじゃまにならない後方位置へ移動する。
このクランプレバー１７の後方への移動により、軸３０を中心にして連動レバー３３が矢印ｇ方向へ移動し、これに伴い軸３４を中心にしてホルダ引き込みレバー３９は矢印ｈ方向へ回動し、さらにホルダ引き込みレバー３９の先端部のピン３５と係合する長孔３６が形成されたＭＤホルダ２５を装置内へ引き込む。この状態を示したのが第１２図である。
ＭＤホルダ２５は、第１１図に示すようにガイドピン４１とガイド孔４２により位置ずれすることなく装置内へ引き込まれる。
ＭＤ２４は装置内へ引き込まれる過程で図示していない部材によりスライド蓋２４ａが開き、装置内の所定の位置まで引き入れられる。
第２スライド板６の矢印ｅ方向の動きに伴う第２スライド板６の移動により、ＭＤホルダ支持部材４４の側面部に設けられたピン４５は、第２スライド板６に形成されたカム面４６を下方へ摺動し、この結果、ＭＤホルダ支持部材４４は第１３図に示すようにＭＤ挿入側を矢印ｉ方向に傾けた状態になる。そして、ＭＤ２４はターンテーブル上へ載置された状態になる。
上記ＭＤホルダー支持部材４４は、ＣＤクランプ動作時には第３スライド板２６が矢印ｅ方向に移動せず、カム部２６ａとピン４５が当接状態に有り、下方への回動が規制されている。
保持兼ガイド部材６１の両側面部に突設された板状の板状軸体６１は、第１１図に示すようにＭＤホルダ支持部材４４に構成された軸受部６３に対し回動可能に係合しているため、ＭＤホルダ支持部材４４が矢印ｉ方向に傾いても保持兼ガイド部材６１は水平な状態になることが出来、これによりＭＤホルダ２５に保持されたＭＤ２４も水平にターンテーブル上に載置可能である。
また、第１３図に示すようにＭＤ２４がターンテーブル上へ載置されたときには、前記ＣＤ装填時での説明と同様に搬送ローラ１１は下降した状態になる。
（ＭＤ取り出し動作）
ターンテーブル上に載置したＭＤ２４を装置外部へ取り出す場合には、前記図示していない駆動モータは、ＭＤ装填時とは逆の方向へ回転する。この結果、第１スライド板４および第２スライド板６は矢印Ｅ方向へ移動され、第１３図の状態から第１２図の状態になり、第３スライド板２６が矢印Ｅ方向へ移動され、ＭＤ２４はＭＤホルダ２５に保持されて第１１図の状態になり、ＣＤ／ＭＤ挿入部におけるＭＤの挿入口から
ＭＤ挿入口遮蔽蓋１１２を第２０図に示す矢印ｑ方向へ開いた状態で装置外部へ取り出し可能な状態になる。
以上のように、この実施の形態１によれば、１つの駆動モータを駆動源として、高い信頼性で外径の異なるＣＤ２００およびＭＤ２４の搬送と、ターンテーブル上へのクランプと、ターンテーブル上からの取り出しが可能になるディスク装置が得られる効果がある。
また、この実施の形態１によれば、ＣＤ用ガイド１０１，１０２をＭＤホルダ２５の両側へ配置した構成を採用したので、装置の厚みを薄く出来るディスク装置が得られる効果がある。
また、この実施の形態１によれば、ＭＤ２４の挿入口からＭＤ２４を挿入する際にＭＤホルダ２５の開口部を拡開するように構成したので、ＭＤホルダ２５へのＭＤ２４の装填が容易になり、使い勝手のよいディスク装置が得られる効果がある。
【産業上の利用可能性】
【０００７】
以上のように、この発明に係るディスク装置は、大きさの異なる円盤状のディスクおよびカートリッジ内蔵型のディスクいずれも利用できる車載用のディスク装置として用いるのに適している。
【図面の簡単な説明】
【０００８】
【図１】この発明の実施の形態１によるディスク装置の構成を立体的に示す構造図である。
【図２】この発明の実施の形態１によるディスク装置の内部構成部材を省いた状態の視点を変えた構造図である。
【図３】この発明の実施の形態１によるディスク装置において第３スライド板を取り外した状態のギアユニット側から見た側面図である。
【図４】この発明の実施の形態１によるディスク装置における中継部材を示す部品図である。
【図５】この発明の実施の形態１によるディスク装置における中間部材を示す部品図である。
【図６】この発明の実施の形態１によるディスク装置において大径ディスクを挿入したときの構成を立体的に示す構造図である。
【図７】この発明の実施の形態１のディスク装置の構成を示す側面図である。
【図８】この発明の実施の形態１のディスク装置の小径ディスクのエッジに搬送ローラが突き当たることのないようにするための構成を立体的に示す構造図である。
【図９】この発明の実施の形態１のディスク装置の大径ディスクの中心がターンテーブル上まで搬送された状態およびＭＤホルダー支持部材の下方への回動が規制されている状態を立体的に示す構造図である。
【図１０】この発明の実施の形態１のＭＤを装填する際に機能する構成部材を追加したディスク装置の構成を立体的に示す構造図である。
【図１１】この発明の実施の形態１の保持兼ガイド部材を追加したディスク装置の構成を立体的に示す構造図である。
【図１２】この発明の実施の形態１のＭＤが搬送ローラにより搬送された状態のディスク装置の構成を立体的に示す構造図である。
【図１３】この発明の実施の形態１のＭＤを再生しているときのディスク装置の構成を立体的に示す構造図である。
【図１４】この発明の実施の形態１の第３スライド板が矢印ｅ方向へ移動中の状態を示すディスク装置の部分側面図である。
【図１５】この発明の実施の形態１の中間部材が図示していない第３スライド板により矢印ｅ方向へ移動した状態を示すディスク装置の部分側面図である。
【図１６】この発明の実施の形態１の中間部材が矢印ｄ方向へ回動した状態を示すディスク装置の部分側面図である。
【図１７】この発明の実施の形態１のクランプレバーをＭＤ装填時に後方へ回動させるための構造を示すディスク装置の部分平面図である。
【図１８】この発明の実施の形態１のディスク装置へＣＤを挿入したときのＣＤ／ＭＤ挿入部の構成を立体的に示す構造図である。
【図１９】この発明の実施の形態１のディスク装置のＣＤ／ＭＤ挿入部の構成を立体的に示す構造図である。
【図２０】この発明の実施の形態１のディスク装置の挿入口へＭＤが挿入される状態を立体的に示した構造図である。
【図２１】この発明の実施の形態１のディスク装置のＭＤホルダの開口部を拡開させた状態を立体的に示す構造図である。
【図２２】この発明の実施の形態１のディスク装置の拡開されたＭＤホルダの開口部へＭＤが挿入された状態を立体的に示す構造図である。
【図２３】この発明の実施の形態１のディスク装置の拡開されたＭＤホルダの開口部へＭＤが挿入された状態を立体的に示す構造図である。
【図１】
0003749123.tif 000002
【図２】
0003749123.tif 000003
【図３】
0003749123.tif 000004
【図４】
0003749123.tif 000005
【図５】
0003749123.tif 000006
【図６】
0003749123.tif 000007
【図７】
0003749123.tif 000008
【図８】
0003749123.tif 000009
【図９】
0003749123.tif 000010
【図１０】
0003749123.tif 000011
【図１１】
0003749123.tif 000012
【図１２】
0003749123.tif 000013
【図１３】
0003749123.tif 000014
【図１４】
0003749123.tif 000015
【図１５】
0003749123.tif 000016
【図１６】
0003749123.tif 000017
【図１７】
0003749123.tif 000018
【図１８】
0003749123.tif 000019
【図１９】
0003749123.tif 000020
【図２０】
0003749123.tif 000021
【図２１】
0003749123.tif 000022
【図２２】
0003749123.tif 000023
【図２３】
0003749123.tif 000024